【手続補正書】
【提出日】平成24年9月26日(2012.9.26)
【手続補正１】
【補正対象書類名】特許請求の範囲
【補正対象項目名】全文
【補正方法】変更
【補正の内容】
【特許請求の範囲】
【請求項１】
各々が識別可能な複数種類の図柄を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域を通る複数のラインのうち入賞の判定対象となる有効ライン上に導出された図柄の組合せに応じて入賞が発生可能とされたスロットマシンであって、
前記複数のラインのうち少なくとも１本以上のラインを前記有効ラインとして設定する有効ライン設定手段と、
前記複数の可変表示領域に表示結果が導出される前に入賞の発生を許容するか否かを決定する事前決定手段と、
前記複数の可変表示領域それぞれに表示結果を導出させる際に操作される導出操作手段と、
前記導出操作手段が操作されたときに、前記事前決定手段の決定結果に応じて該導出操作手段に対応する可変表示領域に表示結果を導出させる制御を行う導出制御手段と、
通常遊技状態において特別入賞となる図柄の組合せが前記有効ラインに導出されたときに遊技者にとって有利な特別遊技状態に移行させる特別遊技状態移行手段と、
前記特別遊技状態の終了後、前記通常遊技状態のうちの準備遊技状態に移行させる準備遊技状態移行手段と、
前記準備遊技状態において所定の移行条件が成立したときに前記通常遊技状態のうちの前記準備遊技状態よりも遊技者にとって有利な有利遊技状態に移行させる有利遊技状態移行手段と、
前記準備遊技状態及び前記有利遊技状態において前記複数の可変表示領域に不利表示結果の組合せが導出されたときに前記通常遊技状態のうちの前記準備遊技状態及び前記有利遊技状態よりも遊技者にとって不利な不利遊技状態に移行させる不利遊技状態移行手段と、
前記事前決定手段の決定結果が前記不利表示結果の組合せの導出を許容する不利決定結果である場合に、前記不利表示結果の組合せの導出を回避する前記導出操作手段の操作態様を特定可能な情報を報知する回避情報報知手段と、
前記回避情報報知手段を作動させる権利を付与する作動権利付与手段と、
前記回避情報報知手段を作動させる権利が付与されていることを条件に、前記事前決定手段の決定結果が前記不利決定結果となったときに前記回避情報報知手段を作動させる制御を行う作動制御手段と、
を備え、
前記有効ライン設定手段は、前記特別遊技状態において、前記通常遊技状態において前記有効ラインとして設定される通常有効ラインの少なくとも一部を前記有効ラインとして設定せず、
前記導出制御手段は、
前記通常遊技状態において前記特別入賞の発生を許容する旨が決定されたことを条件に、前記通常有効ラインに前記特別入賞となる図柄の組合せを導出可能に制御する第１の特別導出制御手段と、
前記特別遊技状態において前記事前決定手段の決定結果が特定の決定結果となったことを条件に、前記有効ライン設定手段により前記有効ラインとして設定されない前記通常有効ラインに前記特別入賞となる図柄の組合せを導出可能に制御する第２の特別導出制御手段と、
を含み、
前記作動権利付与手段は、前記特別遊技状態において、前記有効ライン設定手段により前記有効ラインとして設定されない前記通常有効ラインに前記特別入賞となる図柄の組合せが導出されたときに前記回避情報報知手段を作動させる権利を付与し、
前記作動制御手段は、前記回避情報報知手段を作動させる権利が付与されている場合には、前記準備遊技状態及び前記有利遊技状態の双方において、前記事前決定手段の決定結果が前記不利決定結果となったときに前記回避情報報知手段を作動させる制御を行い、前記回避情報報知手段を作動させる権利が付与されていない場合には、前記準備遊技状態においても前記有利遊技状態においても前記回避情報報知手段を作動させない制御を行う
ことを特徴とするスロットマシン。
【請求項２】
各々が識別可能な複数種類の図柄を変動表示可能な複数の可変表示領域のそれぞれに表示結果を導出させることが可能な可変表示装置を備え、
遊技用価値を用いて１ゲームに対して所定数の賭数を設定することによりゲームが開始可能となるとともに、前記複数の可変表示領域の全てに前記表示結果が導出されることにより１ゲームが終了し、１ゲームの結果として前記複数の可変表示領域を通る複数のラインのうち入賞の判定対象となる有効ライン上に導出された図柄の組合せに応じて入賞が発生可能とされたスロットマシンであって、
前記複数のラインのうち少なくとも１本以上のラインを前記有効ラインとして設定する有効ライン設定手段と、
前記複数の可変表示領域に表示結果が導出される前に入賞の発生を許容するか否かを決定する事前決定手段と、
前記複数の可変表示領域それぞれに表示結果を導出させる際に操作される導出操作手段と、
前記導出操作手段が操作されたときに、前記事前決定手段の決定結果に応じて該導出操作手段に対応する可変表示領域に表示結果を導出させる制御を行う導出制御手段と、
通常遊技状態において特別入賞となる図柄の組合せが前記有効ラインに導出されたときに遊技者にとって有利な特別遊技状態に移行させる特別遊技状態移行手段と、
前記特別遊技状態の終了後、前記通常遊技状態のうちの準備遊技状態に移行させる準備遊技状態移行手段と、
前記準備遊技状態において所定の移行条件が成立したときに前記通常遊技状態のうちの前記準備遊技状態よりも遊技者にとって有利な有利遊技状態に移行させる有利遊技状態移行手段と、
前記準備遊技状態及び前記有利遊技状態において前記複数の可変表示領域に不利表示結果の組合せが導出されたときに前記通常遊技状態のうちの前記準備遊技状態及び前記有利遊技状態よりも遊技者にとって不利な不利遊技状態に移行させる不利遊技状態移行手段と、
前記事前決定手段の決定結果が前記不利表示結果の組合せの導出を許容する不利決定結果である場合に、前記不利表示結果の組合せの導出を回避する前記導出操作手段の操作態様を特定可能な情報を報知する回避情報報知手段と、
前記回避情報報知手段を作動させる権利を付与する作動権利付与手段と、
前記回避情報報知手段を作動させる権利が付与されていることを条件に、前記事前決定手段の決定結果が前記不利決定結果となったときに前記回避情報報知手段を作動させる制御を行う作動制御手段と、
を備え、
前記有効ライン設定手段は、前記特別遊技状態において、前記通常遊技状態において前記有効ラインとして設定される通常有効ラインの少なくとも一部を前記有効ラインとして設定せず、
前記導出制御手段は、
前記通常遊技状態において前記特別入賞の発生を許容する旨が決定されたことを条件に、前記通常有効ラインに前記特別入賞となる図柄の組合せを導出可能に制御する第１の特別導出制御手段と、
前記特別遊技状態において前記事前決定手段の決定結果が特定の決定結果となったことを条件に、前記有効ライン設定手段により前記有効ラインとして設定されない前記通常有効ラインに前記特別入賞となる図柄の組合せを導出可能に制御する第２の特別導出制御手段と、
を含み、
前記作動権利付与手段は、前記特別遊技状態において、前記有効ライン設定手段により前記有効ラインとして設定されない前記通常有効ラインに前記特別入賞となる図柄の組合せが導出可能に制御される前記特定の決定結果となったときに前記回避情報報知手段を作動させる権利を付与し、
前記作動制御手段は、前記回避情報報知手段を作動させる権利が付与されている場合には、前記準備遊技状態及び前記有利遊技状態の双方において、前記事前決定手段の決定結果が前記不利決定結果となったときに前記回避情報報知手段を作動させる制御を行い、前記回避情報報知手段を作動させる権利が付与されていない場合には、前記準備遊技状態においても前記有利遊技状態においても前記回避情報報知手段を作動させない制御を行う
ことを特徴とするスロットマシン。
【手続補正２】
【補正対象書類名】明細書
【補正対象項目名】００１０
【補正方法】変更
【補正の内容】
【００１０】
上記課題を解決するために、本発明の請求項１に記載のスロットマシンは、
各々が識別可能な複数種類の図柄を変動表示可能な複数の可変表示領域（リール２Ｌ、２Ｃ、２Ｒ）のそれぞれに表示結果を導出させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒ）の全てに前記表示結果が導出されることにより１ゲームが終了し、１ゲームの結果として前記複数の可変表示領域（リール２Ｌ、２Ｃ、２Ｒ）を通る複数のライン（入賞ラインＬ１〜Ｌ７）のうち入賞の判定対象となる有効ライン（有効ライン）上に導出された図柄の組合せに応じて入賞が発生可能とされたスロットマシン（スロットマシン１）であって、
前記複数のライン（入賞ラインＬ１〜Ｌ７）のうち少なくとも１本以上のラインを前記有効ライン（有効ライン）として設定する有効ライン設定手段と、
前記複数の可変表示領域（リール２Ｌ、２Ｃ、２Ｒ）に表示結果が導出される前に入賞の発生を許容するか否かを決定する事前決定手段（内部抽選）と、
前記複数の可変表示領域（リール２Ｌ、２Ｃ、２Ｒ）それぞれに表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに、前記事前決定手段（内部抽選）の決定結果に応じて該導出操作手段（ストップスイッチ）に対応する可変表示領域（リール）に表示結果を導出させる制御を行う導出制御手段と、
通常遊技状態（ＲＴ（０）〜（６））において特別入賞となる図柄の組合せ（黒７−黒７−黒７、白７−白７−白７）が前記有効ライン（有効ライン）に導出されたときに遊技者にとって有利な特別遊技状態（ＢＢ）に移行させる特別遊技状態移行手段と、
前記特別遊技状態（ＢＢ）の終了後、前記通常遊技状態のうちの準備遊技状態（ＲＴ（０））に移行させる準備遊技状態移行手段と、
前記準備遊技状態（ＲＴ（０））において所定の移行条件（移行出目（２）の停止）が成立したときに前記通常遊技状態のうちの前記準備遊技状態（ＲＴ（０））よりも遊技者にとって有利な有利遊技状態（ＲＴ（１））に移行させる有利遊技状態移行手段と、
前記準備遊技状態（ＲＴ（０））及び前記有利遊技状態（ＲＴ（１））において前記複数の可変表示領域（リール２Ｌ、２Ｃ、２Ｒ）に不利表示結果の組合せ（リプレイ（２）（３）の入賞態様）が導出されたときに前記通常遊技状態のうちの前記準備遊技状態（ＲＴ（０））及び前記有利遊技状態（ＲＴ（１））よりも遊技者にとって不利な不利遊技状態（ＲＴ（２））に移行させる不利遊技状態移行手段と、
前記事前決定手段（内部抽選）の決定結果が前記不利表示結果の組合せの導出を許容する不利決定結果（リプレイＧＲ（１）、リプレイＧＲ（２））である場合に、前記不利表示結果の組合せ（リプレイ（２）（３）の入賞態様）の導出を回避する前記導出操作手段（ストップスイッチ８Ｌ、８Ｃ、８Ｒ）の操作態様（第１停止リール）を特定可能な情報を報知する回避情報報知手段（停止順ナビ）と、
前記回避情報報知手段（停止順ナビ）を作動させる権利（ナビ権利）を付与する作動権利付与手段と、
前記回避情報報知手段（停止順ナビ）を作動させる権利（ナビ権利）が付与されていることを条件に、前記事前決定手段の決定結果が前記不利決定結果（リプレイＧＲ（１）、リプレイＧＲ（２））となったときに前記回避情報報知手段（停止順ナビ）を作動させる制御を行う作動制御手段と、
を備え、
前記有効ライン設定手段は、前記特別遊技状態（ＢＢ（ＲＢ））において、前記通常遊技状態（ＲＴ（０）〜（６））において前記有効ライン（有効ライン）として設定される通常有効ライン（入賞ラインＬ１〜Ｌ５）の少なくとも一部を前記有効ライン（有効ライン）として設定せず、
前記導出制御手段は、
前記通常遊技状態（ＲＴ（０）〜（６））において前記特別入賞（特別役）の発生を許容する旨が決定されたことを条件に、前記通常有効ライン（入賞ラインＬ１〜Ｌ５）に前記特別入賞となる図柄の組合せ（黒７−黒７−黒７、白７−白７−白７）を導出可能に制御する第１の特別導出制御手段と、
前記特別遊技状態（ＢＢ（ＲＢ））において前記事前決定手段（内部抽選）の決定結果が特定の決定結果（チェリー（１）、チェリー（３））となったことを条件に、前記有効ライン設定手段により前記有効ライン（有効ライン）として設定されない前記通常有効ライン（入賞ラインＬ１〜Ｌ５）に前記特別入賞となる図柄の組合せ（黒７−黒７−黒７、白７−白７−白７）を導出可能に制御する第２の特別導出制御手段と、
を含み、
前記作動権利付与手段は、前記特別遊技状態（ＢＢ（ＲＢ））において前記ライン設定手段により無効に設定された前記通常有効ライン（入賞ラインＬ１〜Ｌ５）に前記特別入賞となる図柄の組合せ（黒７−黒７−黒７、白７−白７−白７）が導出されたときに前記回避情報報知手段（停止順ナビ）を作動させる権利（ナビ権利）を付与し、
前記作動制御手段は、前記回避情報報知手段（停止順ナビ）を作動させる権利（ナビ権利）が付与されている場合には、前記準備遊技状態（ＲＴ（０））及び前記有利遊技状態（ＲＴ（１））の双方において、前記事前決定手段（内部抽選）の決定結果が前記不利決定結果（リプレイＧＲ（１）（２））となったときに前記回避情報報知手段（停止順ナビ）を作動させる制御を行い、前記回避情報報知手段（停止順ナビ）を作動させる権利（ナビ権利）が付与されていない場合には、前記準備遊技状態（ＲＴ（０））においても前記有利遊技状態（ＲＴ（１））においても前記回避情報報知手段（停止順ナビ）を作動させない制御を行う
ことを特徴としている。
この特徴によれば、回避情報報知手段を作動させる権利が付与されている場合には、有利遊技状態において回避情報報知手段が作動することにより、事前決定手段の決定結果が不利決定結果となった場合でも、不利表示結果を回避可能な操作態様を特定することが可能となり、その結果、報知された操作態様にて導出操作手段の操作を行うことにより不利遊技状態への移行を回避することが可能となる。
また、特別遊技状態において特別入賞となる図柄の組合せがラインに導出されたときに回避情報報知手段を作動させる権利が付与されるので、回避情報報知手段が報知されたことを容易に認識することが可能となる。また、特別遊技状態で事前決定手段の決定結果が特定の決定結果となった場合には、特別入賞となる図柄の組合せが該特別遊技状態において有効でないライン、すなわち入賞の判定対象とならないラインに特別入賞となる図柄の組合せが導出されるので、通常遊技状態において特別入賞が発生する状況、すなわち入賞の判定対象となる有効ラインに特別入賞となる図柄の組合せが導出された状況との違いが明確となる。
また、特別遊技状態では、特別入賞となる図柄の組合せが遊技状態に関わらず有効ではないラインではなく、遊技の大半を占める通常遊技状態では有効であるが、特別遊技状態では有効でないラインに導出されるので、有効でないラインに特別入賞となる図柄の組合せが導出された場合でも、その旨を容易に認識することが可能となる。
また、特別遊技状態の終了後、直ちに有利遊技状態へ移行するのではなく、特別遊技状態の終了後は、まず準備遊技状態に移行し、準備遊技状態において所定の移行条件が成立することで有利遊技状態に移行するとともに、有利遊技状態だけでなく、準備遊技状態においても不利表示結果が導出された場合に不利遊技状態に移行する。そして、特別遊技状態において回避情報報知手段を作動させる権利が付与された場合には、準備遊技状態においても事前決定手段が不利決定結果となったときに回避情報報知手段が作動するため、不利遊技状態への移行を回避し、有利遊技状態へ移行させることが可能となる一方で、回避情報報知手段を作動させる権利が付与されていない場合には、準備遊技状態においても回避情報報知手段は作動せず、準備遊技状態から有利遊技状態を経ずに不利遊技状態へ移行することが多く、偶然に有利遊技状態へ移行する可能性が低くなるため、特別遊技状態において回避情報報知手段を作動させる権利が付与されたか否かによって、遊技者の利益に明確な差を出すことができる。
【手続補正３】
【補正対象書類名】明細書
【補正対象項目名】００１１
【補正方法】変更
【補正の内容】
【００１１】
本発明の請求項２に記載のスロットマシンは、
各々が識別可能な複数種類の図柄を変動表示可能な複数の可変表示領域（リール２Ｌ、２Ｃ、２Ｒ）のそれぞれに表示結果を導出させることが可能な可変表示装置を備え、
遊技用価値を用いて１ゲームに対して所定数の賭数を設定することによりゲームが開始可能となるとともに、前記複数の可変表示領域（リール２Ｌ、２Ｃ、２Ｒ）の全てに前記表示結果が導出されることにより１ゲームが終了し、１ゲームの結果として前記複数の可変表示領域（リール２Ｌ、２Ｃ、２Ｒ）を通る複数のライン（入賞ラインＬ１〜Ｌ７）のうち入賞の判定対象となる有効ライン（有効ライン）上に導出された図柄の組合せに応じて入賞が発生可能とされたスロットマシン（スロットマシン１）であって、
前記複数のライン（入賞ラインＬ１〜Ｌ７）のうち少なくとも１本以上のラインを前記有効ライン（有効ライン）として設定する有効ライン設定手段と、
前記複数の可変表示領域（リール２Ｌ、２Ｃ、２Ｒ）に表示結果が導出される前に入賞の発生を許容するか否かを決定する事前決定手段（内部抽選）と、
前記複数の可変表示領域（リール２Ｌ、２Ｃ、２Ｒ）それぞれに表示結果を導出させる際に操作される導出操作手段（ストップスイッチ８Ｌ、８Ｃ、８Ｒ）と、
前記導出操作手段（ストップスイッチ８Ｌ、８Ｃ、８Ｒ）が操作されたときに、前記事前決定手段（内部抽選）の決定結果に応じて該導出操作手段（ストップスイッチ）に対応する可変表示領域（リール）に表示結果を導出させる制御を行う導出制御手段と、
通常遊技状態（ＲＴ（０）〜（６））において特別入賞となる図柄の組合せ（黒７−黒７−黒７、白７−白７−白７）が前記有効ライン（有効ライン）に導出されたときに遊技者にとって有利な特別遊技状態（ＢＢ）に移行させる特別遊技状態移行手段と、
前記特別遊技状態（ＢＢ）の終了後、前記通常遊技状態のうちの準備遊技状態（ＲＴ（０））に移行させる準備遊技状態移行手段と、
前記準備遊技状態（ＲＴ（０））において所定の移行条件（移行出目（２）の停止）が成立したときに前記通常遊技状態のうちの前記準備遊技状態（ＲＴ（０））よりも遊技者にとって有利な有利遊技状態（ＲＴ（１））に移行させる有利遊技状態移行手段と、
前記準備遊技状態（ＲＴ（０））及び前記有利遊技状態（ＲＴ（１））において前記複数の可変表示領域（リール２Ｌ、２Ｃ、２Ｒ）に不利表示結果の組合せ（リプレイ（２）（３）の入賞態様）が導出されたときに前記通常遊技状態のうちの前記準備遊技状態（ＲＴ（０））及び前記有利遊技状態（ＲＴ（１））よりも遊技者にとって不利な不利遊技状態（ＲＴ（２））に移行させる不利遊技状態移行手段と、
前記事前決定手段（内部抽選）の決定結果が前記不利表示結果の組合せの導出を許容する不利決定結果（リプレイＧＲ（１）、リプレイＧＲ（２））である場合に、前記不利表示結果の組合せ（リプレイ（２）（３）の入賞態様）の導出を回避する前記導出操作手段（ストップスイッチ８Ｌ、８Ｃ、８Ｒ）の操作態様（第１停止リール）を特定可能な情報を報知する回避情報報知手段（停止順ナビ）と、
前記回避情報報知手段（停止順ナビ）を作動させる権利（ナビ権利）を付与する作動権利付与手段と、
前記回避情報報知手段（停止順ナビ）を作動させる権利（ナビ権利）が付与されていることを条件に、前記事前決定手段の決定結果が前記不利決定結果（リプレイＧＲ（１）、リプレイＧＲ（２））となったときに前記回避情報報知手段（停止順ナビ）を作動させる制御を行う作動制御手段と、
を備え、
前記有効ライン設定手段は、前記特別遊技状態（ＢＢ（ＲＢ））において、前記通常遊技状態（ＲＴ（０）〜（６））において前記有効ライン（有効ライン）として設定される通常有効ライン（入賞ラインＬ１〜Ｌ５）の少なくとも一部を前記有効ライン（有効ライン）として設定せず、
前記導出制御手段は、
前記通常遊技状態（ＲＴ（０）〜（６））において前記特別入賞（特別役）の発生を許容する旨が決定されたことを条件に、前記通常有効ライン（入賞ラインＬ１〜Ｌ５）に前記特別入賞となる図柄の組合せ（黒７−黒７−黒７、白７−白７−白７）を導出可能に制御する第１の特別導出制御手段と、
前記特別遊技状態（ＢＢ（ＲＢ））において前記事前決定手段（内部抽選）の決定結果が特定の決定結果（チェリー（１）、チェリー（３））となったことを条件に、前記有効ライン設定手段により前記有効ライン（有効ライン）として設定されない前記通常有効ライン（入賞ラインＬ１〜Ｌ５）に前記特別入賞となる図柄の組合せ（黒７−黒７−黒７、白７−白７−白７）を導出可能に制御する第２の特別導出制御手段と、
を含み、
前記作動権利付与手段は、前記特別遊技状態（ＢＢ（ＲＢ））において、前記有効ライン設定手段により前記有効ラインとして設定されない前記通常有効ライン（入賞ラインＬ１〜Ｌ５）に前記特別入賞となる図柄の組合せ（黒７−黒７−黒７、白７−白７−白７）が導出可能に制御される前記特定の決定結果（チェリー（１）、チェリー（３））となったときに前記回避情報報知手段（停止順ナビ）を作動させる権利（ナビ権利）を付与し、
前記作動制御手段は、前記回避情報報知手段（停止順ナビ）を作動させる権利（ナビ権利）が付与されている場合には、前記準備遊技状態（ＲＴ（０））及び前記有利遊技状態（ＲＴ（１））の双方において、前記事前決定手段（内部抽選）の決定結果が前記不利決定結果（リプレイＧＲ（１）（２））となったときに前記回避情報報知手段（停止順ナビ）を作動させる制御を行い、前記回避情報報知手段（停止順ナビ）を作動させる権利（ナビ権利）が付与されていない場合には、前記準備遊技状態（ＲＴ（０））においても前記有利遊技状態（ＲＴ（１））においても前記回避情報報知手段（停止順ナビ）を作動させない制御を行う
ことを特徴としている。
この特徴によれば、回避情報報知手段を作動させる権利が付与されている場合には、有利遊技状態において回避情報報知手段が作動することにより、事前決定手段の決定結果が不利決定結果となった場合でも、不利表示結果を回避可能な操作態様を特定することが可能となり、その結果、報知された操作態様にて導出操作手段の操作を行うことにより不利遊技状態への移行を回避することが可能となる。
また、特別遊技状態において特別入賞となる図柄の組合せがラインに導出可能となる特定の決定結果となった場合に回避情報報知手段を作動させる権利が付与されるので、回避情報報知手段が報知されたことを容易に認識することが可能となる。また、特別遊技状態で事前決定手段の決定結果が特定の決定結果となった場合には、特別入賞となる図柄の組合せが該特別遊技状態において有効でないライン、すなわち入賞の判定対象とならないラインに特別入賞となる図柄の組合せが導出されるので、通常遊技状態において特別入賞が発生する状況、すなわち入賞の判定対象となる有効ラインに特別入賞となる図柄の組合せが導出された状況との違いが明確となる。
また、特別遊技状態では、特別入賞となる図柄の組合せが遊技状態に関わらず有効ではないラインではなく、遊技の大半を占める通常遊技状態では有効であるが、特別遊技状態では有効でないラインに導出されるので、有効でないラインに特別入賞となる図柄の組合せが導出された場合でも、その旨を容易に認識することが可能となる。
また、特別遊技状態の終了後、直ちに有利遊技状態へ移行するのではなく、特別遊技状態の終了後は、まず準備遊技状態に移行し、準備遊技状態において所定の移行条件が成立することで有利遊技状態に移行するとともに、有利遊技状態だけでなく、準備遊技状態においても不利表示結果が導出された場合に不利遊技状態に移行する。そして、特別遊技状態において回避情報報知手段を作動させる権利が付与された場合には、準備遊技状態においても事前決定手段が不利決定結果となったときに回避情報報知手段が作動するため、不利遊技状態への移行を回避し、有利遊技状態へ移行させることが可能となる一方で、回避情報報知手段を作動させる権利が付与されていない場合には、準備遊技状態においても回避情報報知手段は作動せず、準備遊技状態から有利遊技状態を経ずに不利遊技状態へ移行することが多く、偶然に有利遊技状態へ移行する可能性が低くなるため、特別遊技状態において回避情報報知手段を作動させる権利が付与されたか否かによって、遊技者の利益に明確な差を出すことができる。
【手続補正４】
【補正対象書類名】明細書
【補正対象項目名】００１３
【補正方法】変更
【補正の内容】
【００１３】
本発明の手段１に記載のスロットマシンは、請求項１または２に記載のスロットマシンであって、
前記有効ライン設定手段は、前記特別遊技状態（ＢＢ（ＲＢ））において前記通常有効ライン（入賞ラインＬ１〜Ｌ５）を全て前記有効ライン（有効ライン）として設定せず、該通常有効ライン（入賞ラインＬ１〜Ｌ５）とは異なるライン（入賞ラインＬ６、Ｌ７）を前記有効ライン（有効ライン）として設定する
ことを特徴としている。
この特徴によれば、特別遊技状態では、事前決定手段の決定結果が特定の決定結果となった場合に、通常遊技状態において有効な全てのラインのいずれにおいても特別入賞となる図柄の組合せを導出させることが可能となる。
【手続補正５】
【補正対象書類名】明細書
【補正対象項目名】００１４
【補正方法】変更
【補正の内容】
【００１４】
本発明の手段２に記載のスロットマシンは、請求項１、２、手段１のいずれかに記載のスロットマシンであって、
前記有効ライン設定手段により前記有効ライン（有効ライン）として設定されたラインであるか、前記有効ライン（有効ライン）として設定されていないラインであるか、に関わらず、いずれかのライン上に前記特別入賞となる図柄の組合せ（黒７−黒７−黒７、白７−白７−白７）が聴牌した場合に聴牌報知（聴牌音の出力）を行う聴牌報知手段を備える
ことを特徴としている。
この特徴によれば、有効なラインに特別入賞となる図柄の組合せが聴牌していない場合であっても、有効でないラインに特別入賞となる図柄の組合せが聴牌することで聴牌報知が行われるので、特別遊技状態において有効でないラインに特別入賞となる図柄の組合せが聴牌した場合にも聴牌報知が行われ、有効でないラインに特別入賞となる図柄の組合せが導出されること、すなわち回避情報報知手段を作動させる権利が付与されることに対する遊技者の期待感を高めることができる。
【手続補正６】
【補正対象書類名】明細書
【補正対象項目名】００１５
【補正方法】変更
【補正の内容】
【００１５】
本発明の手段３に記載のスロットマシンは、請求項１、２、手段１、２のいずれかに記載のスロットマシンであって、
前記事前決定手段は、前記準備遊技状態（ＲＴ（０））において前記有利遊技状態（ＲＴ（１））よりも高い確率にて前記不利決定結果（リプレイＧＲ（１）（２））を決定する
ことを特徴としている。
この特徴によれば、回避情報報知手段を作動させる権利が付与されていない場合には、特別遊技状態の後、準備遊技状態から偶然に有利遊技状態へ移行する割合が一層低くなるため、特別遊技状態において回避情報報知手段を作動させる権利が付与されたか否かによって、遊技者の利益に一層明確な差を出すことができる。
【手続補正７】
【補正対象書類名】明細書
【補正対象項目名】００１６
【補正方法】変更
【補正の内容】
【００１６】
本発明の手段４に記載のスロットマシンは、請求項１、２、手段１、２のいずれかに記載のスロットマシンであって、
前記事前決定手段は、前記有利遊技状態（ＲＴ（１））において前記準備遊技状態（ＲＴ（０））よりも高い確率にて前記不利決定結果（リプレイＧＲ（１）（２））を決定する
ことを特徴としている。
この特徴によれば、回避情報報知手段を作動させる権利が付与されていない場合に準備遊技状態から有利遊技状態へ移行することがあっても、有利遊技状態へ移行後は、高い割合で直ぐに不利遊技状態へ移行させることができる。
【手続補正８】
【補正対象書類名】明細書
【補正対象項目名】００１７
【補正方法】変更
【補正の内容】
【００１７】
本発明の手段５に記載のスロットマシンは、請求項１、２、手段１〜４のいずれかに記載のスロットマシンであって、
前記作動権利付与手段は、前記準備遊技状態（ＲＴ（０））において前記有利遊技状態（ＲＴ（１））よりも有利な条件で前記回避情報報知手段（停止順ナビ）を作動させる権利（ナビ権利）を付与する
ことを特徴としている。
この特徴によれば、準備遊技状態において有利遊技状態よりも有利な条件で回避情報報知手段を作動させる権利が付与されるので、回避情報報知手段を作動させる権利が付与されていない状態で準備遊技状態に移行した場合でも、その後、回避情報報知手段を作動させる権利が付与され、有利遊技状態へ移行することへの期待感を持たせることができる。
尚、前記準備遊技状態において前記有利遊技状態よりも有利な条件で前記回避情報報知手段を作動させる権利を付与するとは、例えば、準備遊技状態において有利遊技状態よりも出現率の高くなる表示結果となったとき、または準備遊技状態において有利遊技状態よりも事前決定手段により決定される確率の高い決定結果となったことを条件に、回避情報報知手段を作動させる権利を付与する構成や、同一の契機であっても準備遊技状態において有利遊技状態よりも高い確率で回避情報報知手段を作動させる権利を付与する構成、準備遊技状態において有利遊技状態よりも付与される権利数の平均値が高くなる確率で回避情報報知手段を作動させる権利を付与する構成、などが該当する。
【手続補正９】
【補正対象書類名】明細書
【補正対象項目名】００１８
【補正方法】変更
【補正の内容】
【００１８】
本発明の手段６に記載のスロットマシンは、請求項１、２、手段１〜５のいずれかに記載のスロットマシンであって、
前記作動権利付与手段は、前記有利遊技状態（ＲＴ（１））において前記回避情報報知手段（停止順ナビ）を作動させる権利（ナビ権利）が付与されていない場合に、前記回避情報報知手段（停止順ナビ）を作動させる権利（ナビ権利）が付与されている場合よりも有利な条件で前記回避情報報知手段（停止順ナビ）を作動させる権利（ナビ権利）を付与する
ことを特徴としている。
この特徴によれば、有利遊技状態において回避情報報知手段を作動させる権利が付与されていない場合に、回避情報報知手段を作動させる権利が付与されている場合よりも有利な条件で回避情報報知手段を作動させる権利が付与されるので、回避情報報知手段を作動させる権利が付与されていない状態で準備遊技状態から偶然に有利遊技状態へ移行した場合には、その後、回避情報報知手段を作動させる権利が付与され、有利遊技状態が継続することへの期待感を持たせることができる。
尚、前記有利遊技状態において前記回避情報報知手段を作動させる権利が付与されていない場合に、前記回避情報報知手段を作動させる権利が付与されている場合よりも有利な条件で前記回避情報報知手段を作動させる権利を付与するとは、例えば、同一の契機であっても有利遊技状態において回避情報報知手段を作動させる権利が付与されていない場合に有利遊技状態において回避情報報知手段を作動させる権利が付与されている場合よりも高い確率で回避情報報知手段を作動させる権利を付与する構成、有利遊技状態において回避情報報知手段を作動させる権利が付与されていない場合に有利遊技状態において回避情報報知手段を作動させる権利が付与されている場合よりも付与される権利数の平均値が高くなる確率で回避情報報知手段を作動させる権利を付与する構成、などが該当する。